(57)【要約】【課題】屋内で身体で筋肉を鍛えるための運動器具であって、製造コストを廉価に抑えることができるとともに、容易に組み立て且つ適宜の場所に固定することのできる運動器具を提供する。【解決手段】弾性バンド３と、下端を床に当接させ、上端を天井に当接させて、垂直方向に立設される突っ張り型の棒材２とを備え、棒材２には、弾性バンド３が掛けられるリング８２や滑車８３が設けられている。【選択図】図１
0003137279.tif 000002
【実用新案登録請求の範囲】
【請求項１】
弾性バンドと、
下端を床に当接させ、上端を天井に当接させて、垂直方向に立設される突っ張り型の棒材とを備え、
前記棒材には、前記弾性バンドが掛けられて該弾性バンドの張力を受ける掛け部が設けられていることを特徴とする運動器具。
【請求項２】
前記掛け部の位置は、前記棒材の高さ方向に可変であることを特徴とする請求項１に記載の運動器具。
【請求項３】
前記棒材には、複数の前記掛け部が上下に間隔をおいて設けられていることを特徴とする請求項１に記載の運動器具。
【請求項４】
前記弾性バンドの一端に、把持又は足掛け用の端器具が設けられ、
前記棒材には、前記弾性バンドの他端が止められる第１掛け部と、前記弾性バンドの中間部が巻き掛けられる滑車を有する第２掛け部とが、いずれか一方を上にして、上下に間隔をおいて設けられていることを特徴とする請求項３に記載の運動器具。
【請求項５】
前記弾性バンドの両端に、把持又は足掛け用の端器具が設けられ、
前記棒材には、前記弾性バンドの中間部が巻き掛けられる滑車を有する掛け部が設けられていることを特徴とする請求項１又は２に記載の運動器具。
【請求項６】
前記棒材には、該棒材の周方向に所定の間隔をおいて離隔する少なくとも２つの前記掛け部が設けられているとともに、前記棒材の周方向に隣接する２つの前記掛け部の間に、前記棒材の径方向に突出した垂直な板材が設けられていることを特徴とする請求項１又は２に記載の運動器具。
【考案の詳細な説明】
【技術分野】
【０００１】
本考案は、運動器具に関するものである。
【背景技術】
【０００２】
従来より、高齢者やリハビリ訓練者などが、屋内でトレーニングを行うための器具がある。例えば、特許第３８５３３５３号公報には、弾性バンドを掛止可能な複数の突起を備えたトレーニング椅子が開示されている。このトレーニング椅子では、前記複数の突起のうちの所定の突起に弾性バンドを掛け止めした後、使用者が、椅子に着座したり椅子の近傍に立った状態で、弾性バンドを引き延ばしたり緩めたりすることで、身体の筋肉を鍛錬することができるようになっている。
【考案の開示】
【考案が解決しようとする課題】
【０００３】
ところで、上記特許文献のトレーニング椅子は、脚部、着座部、及び背もたれ部等、多くの部品から構成されていることから、製造コストが高価になるとともに、容易に組み立てることができない。また、当該椅子が使用中に不用意に動く懸念があり、安全に使用するには、椅子を床に別途固定する必要がある。
【０００４】
本考案は、かかる点に鑑みてなされたものであり、その目的とするところは、屋内で身体で筋肉を鍛えたりレクリエーションのために使用する運動器具であって、製造コストを廉価に抑えることができるとともに、容易に組み立て且つ適宜の場所に固定することのできる運動器具を提供することにある。
【課題を解決するための手段】
【０００５】
上記の課題を解決するために本考案の運動器具は、次に示す構成を有している。
【０００６】
第１の考案では、運動器具は、弾性バンドと、下端を床に当接させ、上端を天井に当接させて、垂直方向に立設される突っ張り型の棒材とを備え、前記棒材には、前記弾性バンドが掛けられて該弾性バンドの張力を受ける掛け部が設けられているようにしたものである。
【０００７】
この構成によれば、使用者は、前記棒材の掛け部に掛けた弾性バンドを引っ張るなどして運動を行うことができるが、運動器具は、棒材と弾性バンドという簡易な構造により構成されていることから、運動器具の製造コストを廉価に抑えることができるとともに、組み立てが容易になる。また、前記棒材が突っ張り型の棒材であることから、運動器具は適宜の場所に固定され得る。
【０００８】
第２の考案では、第１の考案において、前記掛け部の位置は、前記棒材の高さ方向に可変であることを特徴とする。
【０００９】
この構成によれば、使用者は、掛け部を所望の高さ位置に調整することで、掛け部に弾性バンドを掛けることが容易になる。また、掛け部の位置をより高くすることで弾性バンドの張りが強くなるため、使用者は、より負荷の高い運動を行うことが可能になる。
【００１０】
第３の考案は、第１の考案において、前記棒材には、複数の前記掛け部が上下に間隔をおいて設けられていることを特徴とする。
【００１１】
この構成によれば、棒材への弾性バンドの掛け方がバリエーション豊かになる。これにより、使用者は様々な運動が行えるようになる。
【００１２】
第４の考案は、第３の考案において、前記弾性バンドの一端に、把持又は足掛け用の端器具が設けられ、前記棒材には、前記弾性バンドの他端が止められる第１掛け部と、前記弾性バンドの中間部が巻き掛けられる滑車を有する第２掛け部とが、いずれか一方を上にして、上下に間隔をおいて設けられていることを特徴とする。
【００１３】
この構成によれば、使用者は、前記端器具を手で握ったり足に掛けたりした状態で、弾性バンドの引っ張りに抗して手や足を前後させるように使用するが、該使用時において、弾性バンドは、第１掛け部から第２掛け部に至る間において棒材に沿って延びているため、前記端器具と棒材との間の距離を小さくすることができる。これにより、使用者は、運動器具の近傍において運動を行うことができる。
【００１４】
第５の考案は、第１又は２の考案において、前記弾性バンドの両端に、把持又は足掛け用の端器具が設けられ、前記棒材には、前記弾性バンドの中間部が巻き掛けられる滑車を有する掛け部が設けられていることを特徴とする。
【００１５】
この構成では、使用者は、２つの前記端器具を両手で握った状態で、弾性バンドの引っ張りに抗して手を前後させるように使用するが、掛け部に弾性バンドの中間部が巻き掛けられることで、使用時における端器具と棒材との間の距離は、前記弾性バンドの中間部から端器具に至る分の長さとなる。これにより、使用者は棒材の近傍において運動を行うことができる。
【００１６】
第６の考案は、第１又は２の考案において、前記棒材には、該棒材の周方向に所定の間隔をおいて離隔する少なくとも２つの前記掛け部が設けられているとともに、前記棒材の周方向に隣接する２つの前記掛け部の間に、前記棒材の径方向に突出した垂直な板材が設けられていることを特徴とする。
【００１７】
この構成では、前記棒材に少なくとも２つの前記掛け部が設けられていることで、前記棒材に複数の弾性バンドを掛けることができるようになるため、複数の使用者が同時に運動器具を使用することができるが、前記棒材の周方向に隣接する２つの前記掛け部の間に、前記棒材の径方向に突出した垂直な板材が設けられていることから、運動時において隣り合う弾性バンドの巻き付きが防止される。また、運動時に使用者が取っ手を離してしまったとしても、棒材側へ向かって飛ぶ弾性バンドは、板材に衝突して落下するようになるため、該弾性バンドが反対側の使用者等に当たることが防止される。
【考案の効果】
【００１８】
本考案によれば、棒材と弾性バンドという簡易な構造により運動器具が構成されていることから、製造コストを廉価に抑えることができるとともに、組み立てが容易になる。また、前記棒材が突っ張り型の棒材であることから、運動器具は適宜の場所に固定され得る。
【考案を実施するための最良の形態】
【００１９】
以下、本考案の第１実施形態を図１〜１６に基づいて詳細に説明する。尚、以下の好ましい実施形態の説明は、本質的に例示に過ぎず、本考案、その適用物或いはその用途を制限することを意図するものではない。
【００２０】
運動器具１は、図１に示すように、棒材２と、使用者によって引っ張られるゴム製の弾性バンド３とから構成され、弾性バンド３の一端には、把持又は足掛け用の端器具４が設けられている。まず棒材２について図２〜１３を参照して説明する。
【００２１】
棒材２は、下部パイプ１０と、上部パイプ２０、下部ホルダー３０、上部ホルダー４０、回動レバー５０、および引張スプリング６０で構成されている。
【００２２】
大径下部パイプ１０は、垂直方向に立設されるもので、下端である土台部１２が床Ｆに当接する。小径上部パイプ２０は、下部パイプ１０より小径であり、その下端部が下部パイプ１０の上端部に挿入され、上端が天井Ｃに当接する。
【００２３】
下部ホルダー３０は、下部パイプ１０の上端部に嵌合してビス３３で固定され、後端部の左右両側に、水平軸３１を中心として回転する一対のローラー３２を軸支している。上部ホルダー４０は、上部パイプ２０の下端部に嵌合し、その後端部に横軸４１を有する。
【００２４】
母線方向に割れ目４３を設けた円筒状の上部ホルダー４０には、割れ目４３の両側に放射方向の締付片４４ａ，４４ｂが対向させて突設されており、両締付片４４ａ，４４ｂの上部には両者を貫通する軸受孔４５が設けられ、また軸受孔４５より下側の締付片４４ａ，４４ｂの両外面は、後方に向かって狭くなり、下に向かって広くなるテーパー面４６ａ，４６ｂが設けられている。
【００２５】
回動レバー５０は、レバー本体５１とカム板部６２とで構成される。レバー本体５１は、下に凹の逆溝形で、前部には平行する内側壁５７ａ，５７ｂが設けられ、また前端溝底部には切欠き５８が設けられている。そしてレバー本体５１は、上部ホルダー４０の後端部の締付片４４ａ，４４ｂを挟んで外側から嵌められ、横軸４１を介してその前端部が軸受孔４５に軸支された長尺状である。カム板部５２は、レバー本体５１のほぼ前半部の左右両側下端に外に拡がる段部５８を介して一体設され、下端面を、円弧状でローラー３２の上面に当接するカム面５３としている。カム面５３の後方に隣接して、レバー本体５１に、ローラー３２が進入するストッパー凹部５４を形成している。
【００２６】
また、上部パイプ２０の上端部には、上端面が天井Ｃに当接する平面十字状の支持板２１が設けられている。
【００２７】
次に棒材２の取り付け方について説明する。まず、下部パイプ１０の下端を床Ｆの所定箇所に垂直に位置させる。この際、上部パイプ２０を下部パイプ１０から手で引き出し、支持板２１を天井Ｃに接触させる。このとき、上部ホルダー４０の下面は下部ホルダー３０に接触している。
【００２８】
回動レバー５０をやや下方向に回動させると、レバー本体５１の内側壁５７ａ，５７ｂがテーパー面４６ａ，４６ｂに接触して、締付片４４ａ，４４ｂを接近させ割れ目４３を小さくし、上部ホルダー４０に縮径の外力を与え、上部パイプ２０を締付ける。
【００２９】
この状態から、回動レバー５０を更に下方向に回動する。これにより、カム面５３がローラー３２上に載り、ローラー３２を回転させながら前方に移動するが、当該カム面５３は、横軸４１からの半径が後方に向かって徐々に大きく形成されているので、上部ホルダー４０と共に上部パイプ２０が上昇する。これにより、上部パイプ２０の上端は、天井Ｃに強く圧接し、当該棒材２は天井Ｃと床Ｆとの間に突っ張った状態で強固に取り付けられている。
【００３０】
なお、回動レバー５０を回動し切った状態では、ローラー３２がカム面５３のストッパー凹部５４に進入するので、当該ローラー３２はその位置で停止する。従って、回動ストッパーは、その状態を維持することができ、よって、当該棒材２は天井Ｃと床Ｆとの間に突っ張った姿勢で強固に固定される。
【００３１】
そして以上の構成を有する棒材２の上部パイプ２０又は下部パイプ１０には、図１に示すように、天井Ｃ近傍の位置において上側円板７０が取り付けられている。上側円板７０は、中央に形成された挿入孔７１に上部パイプ２０又は下部パイプ１０が挿入されていることによって、上部パイプ２０又は下部パイプ１０に取り付けられており、上側円板７０の外縁近傍には貫通孔７２が形成されている。
【００３２】
下部パイプ１０には床Ｆ近傍の位置において下側円板７３が取り付けられている。下側円板７３は、中央に形成された挿入孔７４に下部パイプ１０が挿入されることによって、下部パイプ１０に取り付けられている。また、下側円板７３の外縁近傍には貫通孔７５が形成されており、下側円板７３が棒材２に取り付けられた状態で、貫通孔７５は貫通孔７２の下方に位置している。
【００３３】
また、円板７０，７３の下方には支持輪７６，７７がパイプに巻き付けられており、支持輪７６，７７は、上端面が円板７０，７３の下面に当接することによって円板７０，７３を支持している。これらの支持輪７６，７７は、パイプ２０，１０に着脱自在に取り付けられるものであって、支持輪７６，７７がパイプ２０，１０から取り外された状態では、円板７０，７３をパイプ２０，１０上で摺動させることによって円板７０，７３の高さ位置が調整可能となる。
【００３４】
そして、棒材２には、弾性バンド３の端器具４以外の部分が掛けられて該弾性バンド３の張力を受けるリング８２と滑車８３とが取り付けられている。
【００３５】
リング８２は上側円板７０の貫通孔７２に係止されることで棒材２に取り付けられており、該リング８２には弾性バンド３における端器具４と反対側の先端が巻き付けられている。
【００３６】
滑車８３は、リング部８４と、該リング部８４から外側へ平行に延び間隔をおいて対向する２つの延伸部８５と、２つの延伸部８５を繋ぐ軸部８６と、該２つの延伸部８５の間に取り付けられた円板状の滑車輪８７とから構成され、滑車輪８７は軸部８６により中央が貫通されることにより該軸部８６を中心に回動可能となっている。該滑車８３は、リング部８４が下側円板７３の貫通孔７５に係止されていることで、リング８２の下方で棒材２に取り付けられている。弾性バンド３は、前記先端が巻き付けられたリング８２から下方に延びて２つの延伸部８５の間を通過するように棒材２にセットされている。そして、このように弾性バンド３がセットされた状態で、椅子Ｈに座った使用者Ｇが端器具４を握ることで、弾性バンド３の中間部は滑車輪８７に沿って斜め上方に折れ曲がって滑車８３に巻き掛けられた状態となっている。この状態において、使用者Ｇは、弾性バンド３の引っ張りに抗して端器具４を手前に引いたり、戻したりすることで、腕の筋肉が鍛えられることになる。この際には、伸び縮みする弾性バンド３が滑車輪８７上を摺動することに応じて滑車輪８７は回転する。
【００３７】
次に第１の実施形態における変形例を図１５を用いて説明する。
【００３８】
運動器具１は、図１５に示すように椅子Ｈに座った使用者Ｇの足に端器具４を引っ掛けて使用することもできる。この場合において、使用者Ｇの足に端器具４が引っ掛けられていることで、弾性バンド３の中間部は滑車輪８７に沿って略直角に折れ曲がることで滑車に巻き掛けられた状態になっている。この状態において使用者Ｇは端器具４を掛けた足を前後させることで足の筋肉を鍛えることができる。
【００３９】
また運動器具１は、図１６に示すように下側円板７３の貫通孔７５にリング８２を係止し、上側円板７０の貫通孔７２に滑車８３のリング部８４を係止するようにして使用することでもできる。この場合、弾性バンド３は、該端器具４と反対側の先端がリング８２に巻き付けられるとともに、該リング８２から上方へ向かって延びて２つの延伸部８５の間を通過するように棒材２にセットされる。そして、このように弾性バンド３がセットされた状態で、椅子Ｈに座った使用者Ｇが弾性バンド３の端器具４を握ることで、弾性バンド３の中間部は、滑車輪８７に沿って斜め下方へ折れ曲がって滑車８３に巻き掛けられた状態となり、この状態において、使用者Ｇは、端器具４を下方に引いたり戻すことで腕の筋肉を鍛えることができる。
【００４０】
以上の第１の実施形態によれば、運動器具１が、棒材２と、弾性バンド３という簡易な構造で構成されていることから、運動器具１の製造コストを廉価に抑えることができ、組み立ても容易になる。また、棒材２が突っ張り型の棒材であることから、運動器具１は適宜の場所に固定され得る。
【００４１】
また、上側円板７０及び下側円板７３の高さ位置が調整可能であることから、使用者Ｇは、円板７０，７３を所望の高さ位置に調整することで、リング８２や滑車８３を円板７０，７３に取り付けたり、該円板７０，７３に取り付けたリング８２や滑車８３に弾性バンド３を掛けることが容易になる。さらには、円板７０，７３の高さ位置が調整できることから、滑車８３で折り曲げられる部分から端器具４までの弾性バンド３の長さを所望の長さに調整することができる。また、円板７０の位置を上方へ移すことでリング８２の位置がより高くなることから弾性バンド３の張りが強くなり、使用者は、より負荷の高い運動を行うことが可能になる。
【００４２】
また、弾性バンド３は、リング８２から滑車８３に至る間において棒材２に沿って延びているため、運動器具１の使用時における端器具４と棒材２との間の距離を小さくすることができる。これにより、使用者Ｇは、棒材２の近傍で運動を行うことができる。
【００４３】
また、棒材２は、下部パイプ１０、上部パイプ２０、下部ホルダー３０、上部ホルダー４０、回動レバー５０で構成され、これらの部材はいずれも簡易な構成であるので、全体構造が簡易である。従って、棒材２の取付けが極めて容易である。
【００４４】
また、上部パイプ２０を手で引き出して支持板に天井Ｃに当て、回動レバー５０を下方向に回動するのみで、天井Ｃと床Ｆとの間に突っ張らせて固定するので、強固に取り付けることができる。これにより、使用者Ｇが弾性バンド３を引っ張ったとしても、棒材２は倒れたり移動することなく安定して弾性バンド３の一端を支持する。
【００４５】
また、上部パイプ２０の上端部に、上端面が天井Ｃに当接する平面十字状の支持板２１を設けていることから、天井Ｃに対する棒材２の組み付きを安定させて、より強固に取り付けることができる。
【００４６】
また、レバー本体５１のカム部材の後端部に対応する部分に、左右方向に支持部材を設け、回動レバー５０を回動した際にカム部材５２に作用する力によって、該カム部材５２およびレバー本体５１が左右方向に変形してしまうことが防止される。
【００４７】
なお、回動レバー５０を下向きから水平位置に戻してたとき、上部ホルダー４０が確実に下部ホルダー３０に接触するまで下降させるために、両者間に引張スプリングを張架することもある
次に第２の実施形態について図１７〜１９を用いて説明する。
【００４８】
図１７に示すように、第２の実施形態における運動器具９は、４人の使用者Ｇが同時に使用するためのものであって、棒材２と４つの弾性バンド３とから構成され、各弾性バンド３には両端に端器具４が設けられている。
【００４９】
図１８は、第２の実施形態で棒材２の下部パイプ１０に取り付けられる円板７８を示しており、当該円板７８には、中央に挿入孔７４が形成されているとともに、外縁近傍の位置に４つの貫通孔７５が形成され、円板７８は図１７に示すように挿入孔７４に下部パイプ１０が挿入されることで下部パイプ１０に取り付けられる。また、円板７８には、棒材２の中心に向かって切り込まれた４つの溝８０が形成されており、各溝８０は、円板７８の周方向に隣り合う貫通孔７５の間に位置している。  
【００５０】
そして、運動器具９が組み立てられた状態では、図１７に示すように、円板７８の貫通孔７５のそれぞれに滑車８３のリング部８４が係止され、この結果、棒材２には、４つの滑車８３が棒材２の周方向に所定の間隔をおいて離隔するように取り付けられた状態になっている。
【００５１】
また、運動器具９が組み立てられた状態では、各溝８０には、垂直なプラスチック板８１（板材）が円板７８の上下面よりも上下方向に延び出るように差し込まれている。この結果、棒材２には、棒材２の径方向に突出した４つのプラスチック板８１が取り付けられ、棒材２の周方向に隣接する２つの滑車８３の間に、１つのプラスチック板８１が配置された状態になっている。
【００５２】
各弾性バンド３は、中間部が滑車８３の２つの延伸部８５の間を通り抜けるように棒材２に対してセットされ、この状態において、各使用者Ｇは一つの弾性バンド３の２つの端器具４を左右の手で握っている。これにより、各弾性バンド３は、一端側から棒材２に向かって略水平に伸びた後に、滑車輪８７に沿って湾曲した後、他端側が使用者Ｇに向かって略水平に伸びることで、中間部が滑車８３に巻き掛けられたものとなっている。この状態において、各使用者Ｇは、弾性バンド３の張力に抗して左右の腕を交互に引いたり戻すことで、両腕の筋肉を鍛えることができる。
【００５３】
図１７は、第２の実施形態における変形例を示すものであって、この変形例では、棒材２の上部パイプ２０に円板７９が取り付けられるようになっている。円板７９は、図１８に示す円板７８と同様、挿入孔７４と、４つの貫通孔７５と、４つの溝８０とが形成されている。なお、挿入孔７４は上部パイプ２０が挿入され得る径に形成され、円板７９は挿入孔７４に上部パイプ２０が挿入されることで棒材２に取り付けられる。
【００５４】
そして、運動器具９が組み立てられた状態では、各貫通孔７２には滑車８３のリング部８４が係止され、各溝８０にはプラスチック板８１が差し込まれている。その結果、棒材２には、４つの滑車８３と、それぞれ棒材２の径方向に突出した４つのプラスチック板８１が取り付けられているとともに、棒材２の周方向に隣接する２つの滑車８３の間に１つのプラスチック板８１が配置された状態になっている。
【００５５】
各弾性バンド３は、中間部が滑車の２つの延伸部８５の間を通り抜けるように棒材２に対してセットされ、各使用者Ｇは１つの弾性バンド３の２つの端器具４を左右の手で握っている。これにより、各弾性バンド３は、一端側から棒材２に向かって斜め上方に伸びた後に、滑車輪８７に沿って湾曲して他端側が使用者Ｇに向かって斜め下方に向かって伸びており、その結果、中間部が滑車８３に巻き掛けられた状態になっている。この状態において、各使用者Ｇは、左右の腕を交互に手前側に引いて弾性バンド３を引っ張ることで両腕の筋肉を鍛えることができる。
【００５６】
第２の実施形態における運動器具９では、滑車８３に弾性バンド３の中間部が巻き掛けられることで、使用時における端器具４と棒材２との間の距離は、前記弾性バンド３の中間部から端器具４に至る分の長さとなる。これにより、使用者Ｇは棒材２の近傍で運動を行うことができる。
【００５７】
また、棒材２の周方向に隣接する２つの滑車８３の間に１つのプラスチック板８１が配置されていることから、運動時において隣り合う弾性バンド３の巻き付きが防止される。また、運動時に使用者Ｇが端器具４を離してしまったとしても、棒材２側へ向かって飛ぶ弾性バンド３は、プラスチック板８１に衝突して落下するため、該弾性バンド３が反対側の使用者Ｇ等に当たることが防止される。
【００５８】
本考案は、上述した実施形態のみに限定されるものではなく、実用新案登録請求の範囲内において、種々改変することができる。
【００５９】
例えば、棒材に取り付けられる円板は上述したものに限られない。以下、図２０に示す一対の円板半割体８８によって構成される円板を棒材２に取り付ける場合について、図２０〜２６を参照しながら説明する。なお、図２２の（ａ），（ｂ）は、円板半割体の表面を相対する側から視て示すものである。
【００６０】
各円板半割体８８には、対向縁９２の中央にそれぞれ半円状の切欠８９が形成され、円弧９０側の外縁近傍には、リング８２や滑車８３のリング部８４が係止される２つの貫通孔７５が形成されている。また各円板半割体８８の表面には、対向縁９２側にリブ９１が形成されている。このリブ９１において、切欠８９よりも外側に延びる延伸部９３には円弧９０側に凹む凹部９４が形成されている。各円板半割体８８では延伸部９３における凹部９４周辺の壁面９９が他方の円板半割体８８と当接する当て面となっており、互いの壁面９９が当接するように２つの円板半割体８８が合わされた状態では、対向する２つの切欠８９によって、下部パイプ１０の外径と径が一致する挿入孔７４（図１８参照）が構成され、また対向する２つの凹部９４によってプラスチック板８１が挿入可能な溝８０（図１８参照）が構成される。なお、一方の円板半割体８８の壁面９９には突起１０６が形成され、他方の円板半割体８８の壁面９９には前記突起１０６が係合する凹部（図示せず）が形成されている。また、延伸部９３における凹部９４の形成範囲ではボルト孔９５が貫通している。このボルト孔９５は、プラスチック板８１固定用のボルト（図示せず）を通すために形成されたものであって、プラスチック板８１には前記ボルトを通すための貫通孔（図示せず）が形成されている。また、図２２に示すように各円板半割体８８の表面には、対向縁９２の中央位置から円弧９０側に延びて、２つの貫通孔７５の間を通過する２つのリブ９６が形成されている。２つのリブ９６は、プラスチック板８１の厚み分の間隔をおいて対向しており、これらの間にプラスチック板８１が挿入される溝８０を構成している。そしてリブ９６には、リブ９１の延伸部９３と同様、プラスチック板８１固定用のボルト孔９５が形成されている。
【００６１】
また、図２３に示すように各円板半割体８８の裏面では、対向縁９２側にリブ９７が設けられており、該リブ９７には、２つの円板半割体８８を連結するボルトを通すためのボルト孔９８が貫通している。
【００６２】
そして、２つの円板半割体８８を下部パイプに取り付ける際には、図２０に示すように２つの円板半割体８８を相対する側から下部パイプ２０に近接させた状態で、各円板半割板８８のボルト孔９８（図２２，２３参照）にボルトを通して締結する。この際には、切欠壁面１０７が下部パイプ１０の外面に当接するとともに、一方の半割体８８の突起１０６が他方の半割体８８の凹部内に係合するように、２つの円板半割体８８の壁面９９同士を当接させる。そして、溝８０（２つのリブ９６の間の溝８０と対向する２つの凹部９４によって構成される溝８０）にプラスチック板８１を挿入した状態で、ボルト孔９５及びプラスチック板８１の貫通孔にボルトを通して締結することでプラスチック板８１を固定する。この結果、図１７に示すごとく、４つの貫通孔７５を有し、隣り合う貫通孔７５の間に１つのプラスチック板８１が配置された円板が下部パイプ１０に取り付けられた状態になる。この円板は、ボルト孔９８に通したボルトの締結を解除することで下部パイプ１０から取り外すことができるため、下部パイプ１０に着脱自在に取り付けられている。
【００６３】
また、円板半割体８８は、図２４〜２６に示したブッシュ１００を用いることで、上部パイプ２０に取り付けることができる。ブッシュ１００は、一対のブッシュ半割体１０１から構成され、それらブッシュ半割体１０１の当接面１０２同士が互いに接触するように２つのブッシュ半割体１０１を合わせることで、上部パイプ２０が内部に挿入される筒が構成される。また、各ブッシュ半割体１０１は、前記筒の外径が下部パイプ１０の外径に一致するように形成されており、前記筒の外面を構成する各ブッシュ半割体１０１の壁面１０３には２つの突起１０４が形成されている。これらの突起１０４は、円板半割体８８の切欠壁面１０７に形成された凹部１０８（図２２参照）に係合可能な径に形成されている。
【００６４】
そして円板半割体８８を上部パイプ２０に取り付ける際には、図２４に示すように、まず、２つのブッシュ半割体１０１を相対する側から上部パイプ２０に近接させて係止させる。この際には、２つのブッシュ半割体１０１の当接面１０２同士を当接させる。この結果、ブッシュ半割体１０１が取り付けられた範囲における棒材２の外径は下部パイプ１０の外径と一致するようになる。そして、２つの円板半割体８８を相対する側から上部パイプ２０に取り付けられたブッシュ半割体１０１に近接させた状態で、ボルト孔９８にボルトを通して締結する。この際には、一方の半割体８８の突起１０６が他方の半割体８８の凹部内に係合するように２つの円板半割体８８の壁面９９同士を当接させるとともに、突起１０４が凹部１０８内に挿入されるように各円板半割体８８の切欠壁面１０７をブッシュ半割体１０１の壁面１０３に当接させる。この後、上記と同様に、プラスチック板８１を各溝８０に取り付けることで、図１９に示すごとく、４つの貫通孔７５を有するとともに隣り合う貫通孔７５の間に１つのプラスチック板８１が配置された円板が上部パイプ２０に取り付けられた状態になる。この円板においても、ボルト孔９８に通したボルトの締結を解除することで円板を取り外すことができることから着脱自在に上部パイプ２０に取り付けられたものとなっている。
【００６５】
以上のように、円板半割体８８は、単独で下部パイプ１０に取り付けられるものであり、さらにブッシュ１００を用いれば上部パイプ２０に取り付けることも可能になる。これにより、上部パイプ２０に取り付ける円板と下部パイプ１０に取り付ける円板とを別個に製造する必要がなくなる。また、円板半割体８８は、棒材２に着脱自在に取り付けられることから、棒材２を天井Ｃと床Ｆとの間に取り付ける際に、予め棒材２に円板を取り付けておく必要がない。また、棒材２の取り付け後においては、円板半割体８８の着脱を行うことで円板の高さ位置を調整することができる。
【００６６】
また、上記の円板（上側円板７０、下側円板７３、円板７８，７９、２つの円板半割体８８によって構成される円板）に係止されるリング８２や滑車８３の数は、上記に限られず１以上の任意の数とすることができる。この場合、円板には各リング８２及び滑車８３を係止するための貫通孔７２，７５が形成される。前記円板に係止されるリング８２や滑車８３の数を多くすることで、棒材２に掛ける弾性バンド３の数を多くできるため、より多くの使用者が同時に運動器具を使用することができるようになる。
【００６７】
また、棒材２に取り付けられる円板（上側円板７０、下側円板７３、円板７８，７９、２つの円板半割体８８によって構成される円板）の数は上記に限られず、１以上の任意の数とすることができ、この場合、各円板には１以上のリング８２あるいは滑車８３が取り付けられる。前記円板の数をより多くすることで、棒材２への弾性バンド３の掛け方がバリエーション豊かになることから、使用者は様々な運動が行えるようになる。
【００６８】
また、第２の実施形態において、溝８０に差し込む板材の材質は、上述したプラスチックに限られず金属や木材であってもよい。
【図面の簡単な説明】
【００６９】
【図１】本考案の第１の実施形態に係る運動器具を示す側面図である。
【図２】棒材の取り付け方を示す側面図である。
【図３】棒材の回動レバー近傍部分を示す拡大図である。
【図４】図３のＡ−Ａ線断面図である。
【図５】第１の実施形態における回動レバーを示す側面図である。
【図６】（ａ）は図５のＢ−Ｂ線断面図、（ｂ）はＣ−Ｃ線断面図である。
【図７】第１の実施形態における下部ホルダーを示す側面図である。
【図８】図７に示す下部ホルダーの平面図である。
【図９】第１の実施形態における上部ホルダーを示す側面図である。
【図１０】図８に示す下部ホルダーの平面図である。
【図１１】レバーを上げた状態における図９のＺ−Ｚ断面端図である。
【図１２】レバーを若干傾けた状態における図９のＺ−Ｚ断面端図である。
【図１３】第１の実施形態に係る棒材の動作を示す要部拡大側面図である。
【図１４】第１の実施形態に係る棒材の概略平面図である。
【図１５】第１の実施形態における運動器具の変形例を示す斜視図である。
【図１６】第１の実施形態における運動器具の変形例を示す斜視図である。
【図１７】第２の実施形態における運動器具の斜視図である。
【図１８】第２の実施形態における上側円板を示す平面図である。
【図１９】第２の実施形態における運動器具の変形例を示す斜視図である。
【図２０】円板半割体が下部パイプに取り付けられる状態を示す斜視図である。
【図２１】円板半割体の平面図である。
【図２２】円板半割体の上面を示す斜視図である。
【図２３】円板半割体の下面を示す斜視図である。
【図２４】円板半割体が上部パイプに取り付けられる状態を示す斜視図である。
【図２５】ブッシュ半割体の斜視図である。
【図２６】ブッシュ半割体の正面図である。
【符号の説明】
【００７０】
１，９      運動器具、 
２      棒材、 
３      弾性バンド、 
４      端器具、 
８１      プラスチック板、 
８３      滑車。 
【図１】
0003137279.tif 000003
【図２】
0003137279.tif 000004
【図３】
0003137279.tif 000005
【図４】
0003137279.tif 000006
【図５】
0003137279.tif 000007
【図６】
0003137279.tif 000008
【図７】
0003137279.tif 000009
【図８】
0003137279.tif 000010
【図９】
0003137279.tif 000011
【図１０】
0003137279.tif 000012
【図１１】
0003137279.tif 000013
【図１２】
0003137279.tif 000014
【図１３】
0003137279.tif 000015
【図１４】
0003137279.tif 000016
【図１５】
0003137279.tif 000017
【図１６】
0003137279.tif 000018
【図１７】
0003137279.tif 000019
【図１８】
0003137279.tif 000020
【図１９】
0003137279.tif 000021
【図２０】
0003137279.tif 000022
【図２１】
0003137279.tif 000023
【図２２】
0003137279.tif 000024
【図２３】
0003137279.tif 000025
【図２４】
0003137279.tif 000026
【図２５】
0003137279.tif 000027
【図２６】
0003137279.tif 000028